【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
遊技領域に設けられ遊技媒体が進入したときに所定の始動条件が成立する始動領域と、当該始動条件が成立したことに基づいて各々が識別可能な複数種類の識別情報の変動表示を行なって表示結果を導出表示する変動表示装置とを備え、前記変動表示装置における識別情報の変動表示の表示結果が予め定められた特定表示結果となったときに、遊技者にとって有利な特定遊技状態に制御される遊技機であって、
前記特定遊技状態に制御するか否かと、前記特定遊技状態終了後に前記特定遊技状態と異なる通常状態に制御するか、前記特定遊技状態終了後に前記変動表示の表示結果が前記特定表示結果となる確率が前記通常状態よりも向上した第１高確率状態に制御するか、前記特定遊技状態終了後に前記変動表示の表示結果が前記特定表示結果となる確率が前記第１高確率状態と同一でありかつ該第１高確率状態より前記始動領域へ遊技媒体が進入しやすく設定された第２高確率状態に制御するかとを前記変動表示の表示結果を導出表示する前に決定する事前決定手段を含み、
該事前決定手段は、前記第１高確率状態に制御されているときと前記第２高確率状態に制御されているときとで、前記特定遊技状態終了後に前記第１高確率状態に制御すると決定する割合と、前記特定遊技状態終了後に前記第２高確率状態に制御すると決定する割合とを異ならせることを特徴とする、遊技機。
【請求項２】
前記事前決定手段は、前記第２高確率状態に制御されているときには、他の状態にされているときに比べて高い割合で前記第２高確率状態に制御すると決定することを特徴とする、請求項１に記載の遊技機。
【請求項３】
前記識別情報の変動表示の表示結果が前記特定表示結果のうちで予め定められた特別表示結果となったときに、前記特定遊技状態終了後に前記変動表示の表示結果が前記特定表示結果となる確率が前記通常状態よりも向上した状態に制御され、
遊技の進行を制御し、前記変動表示装置を制御するための制御信号を出力する遊技制御手段と、
該遊技制御手段からの前記制御信号に基づいて前記変動表示装置を含む演出制御装置の制御を行なう演出制御手段とをさらに含み、
前記遊技制御手段は、
前記事前決定手段と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示を実行させるか否かを決定する第１演出表示実行決定手段と、
前記事前決定手段によって表示結果を前記特定表示結果とする旨の決定がされたとき、前記特定遊技状態が開始された後に、前記変動表示装置において変動表示の表示結果が前記特定表示結果となる確率が前記通常状態よりも向上した状態となるか否かを示す第２演出表示を実行させるか否かを決定する第２演出表示実行決定手段と、
前記識別情報の変動表示を開始するときに、前記制御信号として、前記第１演出表示実行決定手段による決定結果と、前記識別情報の変動表示を開始してから表示結果を導出表示するまでの変動表示時間と、前記識別情報の変動表示の実行開始とを示す変動表示開始コマンドを送信する変動表示開始コマンド送信手段と、
前記識別情報の変動表示を開始するときに、前記制御信号として、前記事前決定手段により前記特定遊技状態に制御する旨の決定がなされたか否かと、前記事前決定手段により前記特定遊技状態終了後に前記変動表示の表示結果が前記特定表示結果となる確率が前記通常状態よりも向上した状態に制御する旨の決定がなされたか否かとを示す結果コマンドを送信する結果コマンド送信手段と、
前記特定遊技状態が開始された後に、前記制御信号として、前記事前決定手段により前記特定遊技状態に制御する旨の決定がなされたか否かと、前記事前決定手段により前記特定遊技状態終了後に前記変動表示の表示結果が前記特定表示結果となる確率が前記通常状態よりも向上した状態に制御する旨の決定がなされたか否かと、前記第２演出表示実行決定手段による決定結果とを示す第２演出表示コマンドを送信する第２演出表示コマンド送信手段とを含み、
前記変動表示開始コマンドと前記結果コマンドとの少なくとも一方は、前記第２演出表示実行決定手段による決定結果を示し、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段と、
前記変動表示開始コマンド送信手段によって送信された変動表示開始コマンドにより前記第１演出表示を実行させる旨が示されているとき、前記第１演出表示を実行させる第１演出表示実行制御手段と、
前記第１演出表示が実行される前に、前記変動表示開始コマンドと前記結果コマンドとのうち前記第２演出表示実行決定手段による決定結果を示す少なくともいずれか一方のコマンドにより、前記第２演出表示を実行させる旨が示されたか否かを判定する結果コマンド判定手段と、
前記第２演出表示コマンド送信手段によって第２演出表示コマンドが送信された後に、前記変動表示開始コマンドと前記結果コマンドとのうち前記第２演出表示実行決定手段による決定結果を示す少なくともいずれか一方のコマンドと、前記第２演出表示コマンド送信手段によって送信された第２演出表示コマンドとの少なくともいずれか一方により、前記第２演出表示を実行させる旨が示されたか否かを判定する第２演出判定手段と、
前記特定遊技状態が開始された後、前記第２演出判定手段によって前記第２演出表示を実行させる旨が示されたときに、前記第２演出表示を実行させる第２演出表示実行制御手段とを含み、
前記演出制御手段は、
前記変動表示開始コマンドによって前記第１演出表示を実行させる旨が示され、かつ、前記結果コマンド判定手段によって前記第２演出表示を実行させる旨が示された旨の判定がされたときに、前記結果コマンドが前記事前決定手段により前記特定遊技状態終了後に前記変動表示の表示結果が前記特定表示結果となる確率が前記通常状態よりも向上した状態に制御する旨の決定がなされた旨を示しているときには、前記第１演出表示実行制御手段により、前記第１演出表示で前記特別表示結果以外の特定表示結果を導出表示させ、前記第２演出表示実行制御手段により、前記第２演出表示で前記特定遊技状態終了後に前記変動表示の表示結果が前記特定表示結果となる確率が前記通常状態よりも向上した状態になる旨を表示させることを特徴とする、請求項１または２に記載の遊技機。
【請求項４】
前記事前決定手段により決定される複数種類の状態のそれぞれには、各状態を示唆する演出態様が定められており、
該各状態を示唆する演出態様で演出を行なう状態演出手段をさらに含み、
前記状態演出手段は、前記変動表示の結果が所定の表示結果となったときに、前記事前決定手段の決定により状態が変更されていないときであっても、前記演出態様を変更することを特徴とする、請求項１から３のいずれかに記載の遊技機。
【手続補正２】
【補正対象書類名】明細書
【補正対象項目名】０００６
【補正方法】変更
【補正の内容】
【０００６】
（１）  遊技領域（遊技領域７）に設けられ遊技媒体（遊技球）が進入したときに所定の始動条件が成立する始動領域（可変入賞球装置１５）と、当該始動条件が成立したことに基づいて各々が識別可能な複数種類の識別情報（飾り図柄）の変動表示を行なって表示結果を導出表示する変動表示装置（変動表示装置９）とを備え、前記変動表示装置における識別情報の変動表示の表示結果が予め定められた特定表示結果（大当り表示結果）となったときに、遊技者にとって有利な特定遊技状態（大当り遊技状態）に制御される遊技機（パチンコ遊技機１）であって、
前記特定遊技状態に制御するか否かと、前記特定遊技状態終了後に前記特定遊技状態と異なる通常状態（低確低べース状態）に制御するか、前記特定遊技状態終了後に前記変動表示の表示結果が前記特定表示結果となる確率が前記通常状態よりも向上した第１高確率状態（高確低べース状態）に制御するか、前記特定遊技状態終了後に前記変動表示の表示結果が前記特定表示結果となる確率が前記第１高確率状態と同一でありかつ該第１高確率状態より前記始動領域へ遊技媒体が進入しやすく設定された第２高確率状態（高確高べース状態）に制御するかとを前記変動表示の表示結果を導出表示する前に決定する事前決定手段（遊技制御用マイクロコンピュータ５６０、図５２のＳ２５、図５３のＳ４１）を含み、
該事前決定手段は、前記第１高確率状態に制御されているときと前記第２高確率状態に制御されているときとで、前記特定遊技状態終了後に前記第１高確率状態に制御すると決定する割合と、前記特定遊技状態終了後に前記第２高確率状態に制御すると決定する割合とを異ならせる（図１７では高確低ベース状態で大当りが発生したときは高確低ベース状態となる確率が１０％であり、高確高ベース状態となる確率が３０％である。一方、高確高ベース状態で大当りが発生したときは高確低ベース状態となる確率が０％であり、高確高ベース状態となる確率が４０％である）。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
（２）  前記事前決定手段は、前記第２高確率状態に制御されているときには、他の状態（低確低ベース状態、高確低ベース状態）にされているときに比べて高い割合で前記第２高確率状態に制御する（図１７では高確高ベース状態で大当りが発生したときは高確高ベース状態となる確率が４０％であり、低確低ベース状態で大当りが発生したときに高確高ベース状態となる確率が１０％、高確低ベース状態で大当りが発生したときに高確高ベース状態となる確率が３０％である）。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
（３）  前記識別情報の変動表示の表示結果が前記特定表示結果のうちで予め定められた特別表示結果（確変大当り表示結果）となったときに、前記特定遊技状態終了後に前記変動表示の表示結果が前記特定表示結果となる確率が前記通常状態よりも向上した状態（高確低ベース状態、高確高ベース）に制御され、
遊技の進行を制御し、前記変動表示装置を制御するための制御信号を出力する遊技制御手段（主基板３１、遊技制御用マイクロコンピュータ５６０）と、
該遊技制御手段からの前記制御信号に基づいて前記変動表示装置を含む演出制御装置の制御を行なう演出制御手段（演出制御基板８０、演出制御用マイクロコンピュータ８００）とをさらに含み、
前記遊技制御手段は、
前記事前決定手段と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示（図３５の（ｉ３）〜（ｉ４）に示す１次再抽選表示）を実行させるか否かを決定する第１演出表示実行決定手段（図５５の変動パターン設定処理でのＳ６３，Ｓ６８（変動パターンとともに１次再抽選の有無を決定））と、
前記事前決定手段によって表示結果を前記特定表示結果とする旨の決定がされたとき、前記特定遊技状態が開始された後に、前記変動表示装置において変動表示の表示結果が前記特定表示結果となる確率が前記通常状態よりも向上した状態となるか否かを示す第２演出表示（図３６の（ｊ３）〜（ｊ５）、（ｋ３）〜（ｋ５）に示す２次再抽選表示）を実行させるか否かを決定する第２演出表示実行決定手段（図５４の飾り図柄情報決定処理におけるＳ５２，Ｓ５５）と、
前記識別情報の変動表示を開始するときに、前記制御信号として、前記第１演出表示実行決定手段による決定結果と、前記識別情報の変動表示を開始してから表示結果を導出表示するまでの変動表示時間と、前記識別情報の変動表示の実行開始とを示す変動表示開始コマンド（図２３の変動パターンコマンド）を送信する変動表示開始コマンド送信手段（図５５のＳ７０、図４８のＳ１０８）と、
前記識別情報の変動表示を開始するときに、前記制御信号として、前記事前決定手段により前記特定遊技状態に制御する旨の決定がなされたか否かと、前記事前決定手段により前記特定遊技状態終了後に前記変動表示の表示結果が前記特定表示結果となる確率が前記通常状態よりも向上した状態に制御する旨の決定がなされたか否かとを示す結果コマンド（図２３の図柄情報コマンド）を送信する結果コマンド送信手段（図５３のＳ４９、図４８のＳ１０８）と、
前記特定遊技状態が開始された後に、前記制御信号として、前記事前決定手段により前記特定遊技状態に制御する旨の決定がなされたか否かと、前記事前決定手段により前記特定遊技状態終了後に前記変動表示の表示結果が前記特定表示結果となる確率が前記通常状態よりも向上した状態に制御する旨の決定がなされたか否かと、前記第２演出表示実行決定手段による決定結果とを示す第２演出表示コマンド（図２４の当り開始コマンド、エンディング表示コマンド）を送信する第２演出表示コマンド送信手段（図５６のＳ８７、図５８のＳ１７１、図４８のＳ１０８）とを含み、
前記変動表示開始コマンドと前記結果コマンドとの少なくとも一方は、前記第２演出表示実行決定手段による決定結果を示し（たとえば、図２３のように図柄情報コマンドが２次再抽選表示の実行の有無を示す）、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段（図６７のＳ４０１〜Ｓ４０３）と、
前記変動表示開始コマンド送信手段によって送信された変動表示開始コマンドにより前記第１演出表示を実行させる旨が示されているとき、前記第１演出表示を実行させる第１演出表示実行制御手段（図６８のＳ２８６〜Ｓ２８９、図７１のＳ２９１〜Ｓ２９６、図６７のＳ４０３の図柄停止待ち処理）と、
前記第１演出表示が実行される前に、前記変動表示開始コマンドと前記結果コマンドとのうち前記第２演出表示実行決定手段による決定結果を示す少なくともいずれか一方のコマンドにより、前記第２演出表示を実行させる旨が示されたか否かを判定する結果コマンド判定手段（図６９のＳ２５５）と、
前記第２演出表示コマンド送信手段によって第２演出表示コマンドが送信された後に、前記変動表示開始コマンドと前記結果コマンドとのうち前記第２演出表示実行決定手段による決定結果を示す少なくともいずれか一方のコマンドと、前記第２演出表示コマンド送信手段によって送信された第２演出表示コマンドとの少なくともいずれか一方により、前記第２演出表示を実行させる旨が示されたか否かを判定する第２演出判定手段と（図７２のＳ３１０）、
前記特定遊技状態が開始された後、前記第２演出判定手段によって前記第２演出表示を実行させる旨が示されたときに、前記第２演出表示を実行させる第２演出表示実行制御手段（図７２のＳ３１８〜Ｓ３２３）とを含み、
前記演出制御手段は、
前記変動表示開始コマンドによって前記第１演出表示を実行させる旨が示され（図６９のＳ２４９Ｙ）、かつ、前記結果コマンド判定手段によって前記第２演出表示を実行させる旨が示された旨の判定がされたとき（図６９のＳ２５５Ｙ）に、前記結果コマンドが前記事前決定手段により前記特定遊技状態終了後に前記変動表示の表示結果が前記特定表示結果となる確率が前記通常状態よりも向上した状態に制御する旨の決定がなされた旨を示しているとき（図６９のＳ２５１Ｙ）には、前記第１演出表示実行制御手段により、前記第１演出表示で前記特別表示結果以外の特定表示結果（非確変大当り表示結果）を導出表示させ（図６９のＳ２５７）、前記第２演出表示実行制御手段により、前記第２演出表示で前記特定遊技状態終了後に前記変動表示の表示結果が前記特定表示結果となる確率が前記通常状態よりも向上した状態になる旨（図３５等の確変モードとなる旨、ミッションモードとなる旨）を表示させる（図７２のＳ３１８）。
【手続補正１９】
【補正対象書類名】明細書
【補正対象項目名】００２８
【補正方法】変更
【補正の内容】
【００２８】
（４）  前記事前決定手段により決定される複数種類の状態のそれぞれには、各状態を示唆する演出態様（図３１〜図４１の各確率・ベース状態ごとの演出態様）が定められており、
該各状態を示唆する演出態様で演出を行なう状態演出手段（図７０のＳ３３１〜Ｓ３５６）をさらに含み、
前記状態演出手段は、前記変動表示の結果が所定の表示結果（小当り表示結果）となったときに、前記事前決定手段の決定により状態が変更されていないとき（他の状態から高確低ベース状態に移行していないとき）であっても、前記演出態様を変更する（図７０のＳ３３６〜Ｓ３４０，Ｓ３４４〜Ｓ３４６により、図３８に示すような偽のミッションモードである第２ミッションモードの演出を行なう）。
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】